(57)【要約】【課題】ドラグ機構の制動力を瞬時に切り換える切換機構を備えた魚釣用スピニングリールにおいて、切換機構の切換部材がドラグ摘みの回動操作を邪魔することなく、釣糸を絡み難くする。【解決手段】ドラグ機構１０の調節部材１２の前部に、径方向に突出形成した操作部１２ｂの内側に凹部１２ｃを形成し、この凹部内に移動可能に収容された切換部材５１の移動操作で、ドラグ機構１０で設定されるスプール５の制動状態を、強制動状態と弱制動状態に切換可能としたことを特徴とする【選択図】    図１
2005185162.tif 000002
【特許請求の範囲】
【請求項１】
ハンドルで連動回転するロータに設けた釣糸案内部を介して釣糸が巻回されるスプールをスプール軸の前部に回転自在に設けると共に、前記スプールに設けた摩擦部材を、前記スプール軸の先端部に螺合する調節部材を回動操作することで押圧して前記スプール軸に対するスプールの摩擦結合力を調節可能にするドラグ機構を備えた魚釣用スピニングリールにおいて、
前記調節部材の前部に径方向に突出形成した操作部の内側に凹部を形成し、この凹部内に移動可能に収容された切換部材の移動操作で、前記ドラグ機構で設定されるスプールの制動状態を、強制動状態と弱制動状態に切換可能としたことを特徴とする魚釣用スピニングリール。
【発明の詳細な説明】
【技術分野】
【０００１】
本発明は、魚釣用スピニングリールに関し、詳細には、釣糸が巻回されるスプールに制動力を付与するドラグ機構に特徴を有する魚釣用スピニングリールに関する。
【背景技術】
【０００２】
上記した魚釣用スピニングリールのスプールの回転を制動するドラグ機構は、スプール軸の前部に回転自在に支持されたスプールの前面凹部内に収容された複数の摩擦部材を、スプール軸の先端部に螺合するドラグ摘み（調節部材）を回動操作して押圧し、スプールのスプール軸に対する摩擦結合力を調節する構造となっている。
【０００３】
ドラグ機構は、予め、対象魚等によって所定のスプール制動力に設定されるが、実釣時には、状況に応じてスプールから釣糸を繰り出して魚を走らせるためにドラグ摘みを緩めたり、或いは、十分に引き込み、巻き取り操作が確実にできるように、ドラグ摘みを締め付けたりする等の回動操作をしなければならず、一般的なドラグ機構は迅速性に欠ける。
【０００４】
そこで、回動操作される従来のドラグ摘みに加えて、スプールの制動状態を、強制動状態と弱制動状態に瞬時に切り換える切換機構を装備したスピニングリールが特許文献１及び２に開示されている。これらの従来技術は、スプール前面に、スライド駆動される切換部材を配設したものであり、切換部材を摺動させることで、強制動状態と弱制動状態が瞬時に切り換えられるようになっている。
【特許文献１】実開平４−１２８６５号公報
【特許文献２】実用新案登録第２５３９３６１号公報
【発明の開示】
【発明が解決しようとする課題】
【０００５】
上記した特許文献１，２に開示されている切換機構の切換部材は、回動操作されるドラグ摘みの突状の操作部に対し、直交する方向に突設されて移動可能に構成されていることから、ドラグ摘みの操作部を握って操作する際に、切換部材が邪魔になって回動操作し難いと共に、釣糸が絡み易い等の問題がある。
【０００６】
本発明は、上記した問題に基づいてなされたものであり、ドラグ機構の制動力を瞬時に切り換える切換機構を備えた魚釣用スピニングリールにおいて、前記切換機構の切換部材がドラグ摘みの回動操作を邪魔することなく、釣糸を絡み難くした構成の魚釣用スピニングリールを提供することを目的とする。
【課題を解決するための手段】
【０００７】
上記した目的を達成するために、本発明に係る魚釣用スピニングリールは、ハンドルで連動回転するロータに設けた釣糸案内部を介して釣糸が巻回されるスプールをスプール軸の前部に回転自在に設けると共に、前記スプールに設けた摩擦部材を、前記スプール軸の先端部に螺合する調節部材を回動操作することで押圧して前記スプール軸に対するスプールの摩擦結合力を調節可能にするドラグ機構を備えており、前記調節部材の前部に径方向に突出形成した操作部の内側に凹部を形成し、この凹部内に移動可能に収容された切換部材の移動操作で、前記ドラグ機構で設定されるスプールの制動状態を、強制動状態と弱制動状態に切換可能としたことを特徴とする。
【０００８】
上記した構成によれば、調節部材の操作部（ドラグ摘み）を回動操作することで、スプールに対するドラグ力が調節される。また、操作部の内側凹部に設けられた切換部材を移動操作することで、ドラグ力を強制動状態と弱制動状態に瞬時に切り換えることが可能となる。この場合、切換部材は、調節部材に突出形成された操作部の内側に収容されていることから、操作部の回動操作時に邪魔になることはなく、また、切換部材は外部に突出しないことから、釣糸が絡むことが防止される。
【発明の効果】
【０００９】
本発明によれば、ドラグ機構の操作部の内側に形成した凹部内に、スプールの制動状態を強制動状態と弱制動状態に切換操作する切換部材を移動可能に収容したことで、操作部からの不要な突出がなくなって、操作部を握って回動操作する際に切換部材が邪魔になることはなく、また、釣糸が絡み付く不具合も解消され、スプール制動力の調節操作性が一段と向上する。
【発明を実施するための最良の形態】
【００１０】
以下、本発明に係る魚釣用スピニングリールの実施形態を添付図面に沿って具体的に説明する。  
図１〜図５は、本発明の一実施形態を示す図であり、図１は、本発明に係る魚釣用スピニングリールのドラグ機構部分を切り欠いた全体構成を示す図、図２は、図１に示すドラグ機構部分を拡大して示す図、図３は、図２のＡ−Ａ線に沿った拡大断面図、図４は、スプール前面の操作部を拡大した図、そして、図５は、ドラグ機構の調節部材の構成を示す側面図である。
【００１１】
図示されたスピニングリール１は、釣竿に装着するための脚部２ａが形成されたリール本体２と、リール本体前方に回転可能に配されたロータ３と、ロータ３の回転運動と同期して前後動可能に支持されたスプール５とを有している。前記ロータ３には、円筒部３ａと一対のベール支持部材３ｂが設けられており、各支持部材３ｂの先端には、一方に釣糸案内部３ｃを装着したベール３ｄが釣糸巻き取り位置と釣糸放出位置との間で反転可能となるように支持されている。また、リール本体２には、回転可能に支持されたハンドル軸を介してハンドル７が回転可能に装着されており、この回転操作によって、前記ロータ３は動力伝達機構を介して回転駆動されると共に、スプール５はオシレート機構を介して往復駆動されるようになっている。
【００１２】
前記スプール５は、往復駆動されるスプール軸５ａの先端部に回り止め装着された支軸５ｂに軸受９を介して回転可能に支持されている。この場合、スプール５とスプール軸５ａとの間には、ドラグ機構１０が配設されており、スプール軸５ａに回転可能に支持されたスプール５に対して所望の制動力、すなわちスプール５に巻回された釣糸が繰り出された際に、スプールに対して所望の制動力を与えるようになっている。
【００１３】
前記ドラグ機構１０は、スプールの回転を制動するドラグ力の強弱の調節を行なうと共に、スプール５の抜け止めを果たす回転可能な調節部材１２と、調節部材１２とスプール５の前端面との間に配置される制動部材１４と、ドラグ力を強制動状態と弱制動状態に切り換える切換機構５０とを備えている。
【００１４】
前記調節部材１２は、円板状の基部１２ａと基部の表面側に堤状に突出形成された操作部（ドラグ摘み）１２ｂを備えており、この操作部１２ｂには、内側に、後述する切換部材が収容されるように径方向に延出する凹部１２ｃが形成されている。前記基部１２ａの表面側の中心領域には、平行して２本の案内突部１２ｄが形成されており、裏面側には、前記スプール軸５ａの先端に刻設されたネジに螺合するナット１５との間に配設される押圧バネ１６が係合している。前記基部１２ａの裏面側には、前記押圧バネ１６を収容すると共に、ナット１５に対して回り止め係合する円筒部１２ｅが形成されている。また、基部１２ａの裏面側には、ナット１５の抜け止めを果たすように、複数の止めネジ１７を介してプレート１８が取り付けられている。
【００１５】
前記制動部材１４は、支軸５ｂに対して軸方向に移動可能で回り止め嵌合された複数枚の制動板２０と、制動板間に配置されたライニング材２１とを備えて構成されている。前記制動板２０の内、中央の制動板２０ａは、他の制動板と比較して大径に形成されており、その先端側に凹凸部２０ｂが形成されて、後述する切換機構５０の制御部材が係合可能となっている。なお、これらの制動部材１４は、前記操作部１２ｂが回動操作された際、前記押圧バネ１６及びナット１５によって、軸方向に所定の押圧力をもって押圧され、スプール５の前端面５ｃに圧接して、スプール５に対して所望のドラグ力を生じさせる。
【００１６】
前記切換機構５０は、前記操作部１２ｂの凹部１２ｃ内に摺動可能に配設される切換部材５１と、この切換部材５１が摺動された際、前記制動板２０ａと係合／非係合状態に移動制御される制御部材６０とを備えている。
【００１７】
前記切換部材５１の内側には、凹部１２ｃの延出方向に沿って長孔５１ａが形成されており、ここに、前記操作部１２の基部１２ａに突出形成された案内突部１２ｄが配置されて、切換部材５１の摺動が案内されるようになっている。また、切換部材５１の両端側の裏面には、摺動方向に沿って傾斜面５１ｂが形成されており、切換部材５１が図２に示す実線位置から、左側に摺動した際、前記操作部１２の基部１２ａの径方向両端側に配置されたピン５３に当て付くようになっている。
【００１８】
ピン５３は、基部１２ａに形成された大径の孔１２ｆ、及び前記プレート１８に形成された小径の孔１８ａ内に軸方向に沿って移動可能に配設されており、プレート１８との間に配設されたバネ５５によって突出方向（切換部材側）に向けて付勢されている。
【００１９】
前記制御部材６０は、前記スプール５の巻回胴部の内面に沿うように円筒状に構成されており、軸方向に移動可能であると共にスプール５に対して回り止めされている。具体的には、制御部材６０は、スプール５に軸方向に沿って形成された長溝５ｄ内に位置する係合突部６０ａと、前記プレート１８の小径の孔１８ａから出没するピン５３によって押さえ付けられる輪帯状の押し付け面６０ｂとを備えており、長溝５ｄ内に配置されたバネ６２によって切換部材５１側に向けて付勢されていると共に、係止止め輪６３によって抜け止め保持されている。
【００２０】
前記制御部材６０のリール本体側端面には、連続した凹凸部６０ｃが形成されており、この凹凸部６０ｃは、制御部材６０がバネ６２の付勢力に抗して前記ピン５３によって押さえ付けられた際、前記制動板２０ａの先端側に形成された凹凸部２０ｂに係合可能となっている。
【００２１】
次に、上記したドラグ機構１０の作用について説明する。  
図２は、切換機構５０の切換部材５１が弱制動状態の位置（操作部１２ｂ内で右側の位置）にあり、この状態で、操作部１２ｂを摘んで回動操作すると、調節部材１２が軸方向に沿って移動し、前記ナット１５及び押圧バネ１６を介して、調節部材の回動操作量（軸方向への移動量）に応じた押圧力が制動部材１４に作用する。これにより、フリー回転可能に支持されたスプール５には、制動部材１４を介して所定の摩擦力が作用するため、釣糸繰り出し方向の回転に対して制動力が作用する。
【００２２】
そして、スプール５を強制動状態に切り換える場合、図２及び図４に示すように、換部材５１を矢印方向に摺動させる。この摺動に伴って、切換部材の裏面に形成された傾斜面５１ｂがピン５３に当て付き、ピン５３はバネ５５の付勢力に抗してプレート１８から突出する。このピン５３の突出によって、制御部材６０は、バネ６２の付勢力に抗してリール本体側に移動され、制御部材６０の先端縁に形成された凹凸部６０ｃが、図３の実線で示すように、前記制動板２０ａの先端側に形成された凹凸部２０ｂに係合される（点線は弱制動状態で、非係合状態を示している）。
【００２３】
これにより、スプール５と制動板２０ａが一体回転可能な状態になることから、スプール５は、制動部材１４を介して大きな摩擦力が作用する状態、すなわち強制動状態に瞬時に切り換えられ、ドラグ機構１０の操作部１２ｂの回動操作によって、強制動状態で所望の制動力に調節できるようになる。なお、切換部材５１を元の位置に摺動させると、制御部材６０の凹凸部６０ｃは、上記した動作と逆の動作によって制動板２０ａの凹凸部２０ｂから外れることから、弱制動状態に切り換えられる。
【００２４】
上記した構成によれば、ドラグ機構の調節部材１２の操作部１２ｂの前部に形成した凹部１２ｃ内に、スプールの制動状態を強制動状態と弱制動状態に切換操作する切換部材５１を移動可能に収容したことで、図５に示すように、操作部１２ｂからの不要な突出がなくなって、操作部を握って回動操作する際に切換部材５１が邪魔になることはなく、かつ釣糸が絡み付く不具合も解消され、スプール制動力の調節操作性の向上が図れる。
【００２５】
なお、上記した構成において、切換部材５１に、強制動状態における位置と弱制動状態における位置が保持できるように、保持手段を設けておくことが好ましい。このような保持手段は、例えば、バネ等の弾性手段によって切換部材を所定位置で付勢保持したり、或いは、切換部材に係合凹凸部を設ける等して位置が保持できるようなものであれば良い。
【００２６】
以上、本発明の実施形態について説明したが、本発明は、上記した実施形態に限定されることはなく、例えば、以下のように構成することが可能である。強制動状態と弱制動状態の切り換えは、上記した構成では、制動部材１４の特定の制動板２０ａをスプール５に対して係脱させるようにしたが、これをスプール軸５ａに対して係脱させるように構成しても良い。或いは上述した特許文献１に開示されているように、切換部材５１の操作によって制動部材１４に対する押圧力を切り換える構成であっても良い。また、切換部材５１は、スライド式に構成したが、回転式やレバー式にする等、制動部材における制動力を瞬時に切り換えできるように構成されていれば、切換部材の操作方式については、適宜変形することが可能である。
【図面の簡単な説明】
【００２７】
【図１】本発明に係る魚釣用スピニングリールのドラグ機構部分を切り欠いた全体構成を示す図。
【図２】図１に示すドラグ機構部分を拡大して示す図。
【図３】図２のＡ−Ａ線に沿った拡大断面図。
【図４】スプール前面の操作部を拡大した図。
【図５】ドラグ機構の調節部材の構成を示す側面図。
【符号の説明】
【００２８】
１  スピニングリール
３  ロータ
５  スプール
７  ハンドル
１０  ドラグ機構
１２  調節部材
１２ｂ  操作部（ドラグ摘み）
１２ｃ  凹部
１４  制動部材
５０  切換機構
５１  切換部材
【図１】
2005185162.tif 000003
【図２】
2005185162.tif 000004
【図３】
2005185162.tif 000005
【図４】
2005185162.tif 000006
【図５】
2005185162.tif 000007